(57)【特許請求の範囲】
【請求項１】
複数のサブキヤリアを使用して優先度の高いデータと優先度の低いデータを同時に送信する通信方法において、
上記優先度の高いデータが重畳された上記サブキヤリアと上記優先度の低いデータが重畳された上記サブキヤリアとを交互に配置してなる送信信号を送信し、
受信側では、上記送信信号に対して所定の受信処理を施すことによつて周波数軸上にシンボルが並ぶ受信シンボルストリームを得、上記受信シンボルストリームに当該受信シンボルストリームを所定時間遅延した遅延シンボルストリームを加算することにより上記優先度の高いデータに関する信号成分を抽出して当該優先度の高いデータを復元すると共に、上記受信シンボルストリームにフーリエ変換処理を施すことによつて時間軸上にシンボルが並ぶシンボルストリームを得、当該シンボルストリームから上記優先度の低いデータのシンボルを抽出して当該優先度の低いデータを復元する
ことを特徴とする通信方法。
【請求項２】
上記優先度の低いデータは所定のメツセージデータからなると共に、上記優先度の高いデータは上記メツセージデータの存在及び属性を示すプリアンブルデータからなり、
受信側では、上記優先度の高いデータに関する信号成分を基に上記プリアンブルデータを検出して上記メツセージデータの存在及び属性を確認した後に当該メツセージデータを復元する
ことを特徴とする請求項１に記載の通信方法。
【請求項３】
相関値検出によつて上記優先度の高いデータに関する信号成分から当該優先度の高いデータを復元する
ことを特徴とする請求項１に記載の通信方法。
【請求項４】
複数のサブキヤリアを使用して優先度の高いデータと優先度の低いデータを同時に送信する送信装置において、
受信側で、所定の受信処理を施すことにより周波数軸上にシンボルが並ぶ受信シンボルストリームを得て上記受信シンボルストリームに当該受信シンボルストリームを所定時間遅延した遅延シンボルストリームを加算することにより上記優先度の高いデータに関する信号成分を抽出して当該優先度の高いデータを復元し得ると共に、上記受信シンボルストリームにフーリエ変換処理を施すことにより時間軸上にシンボルが並ぶシンボルストリームを得て当該シンボルストリームから上記優先度の低いデータのシンボルを抽出して当該優先度の低いデータを復元し得るように、上記優先度の高いデータが重畳された上記サブキヤリアと上記優先度の低いデータが重畳された上記サブキヤリアとを交互に配置してなる送信信号を送信する送信手段
を具えることを特徴とする送信装置。
【請求項５】
上記優先度の低いデータは所定のメツセージデータからなると共に、上記優先度の高いデータは上記メツセージデータの存在及び属性を示すプリアンブルデータからなる
ことを特徴とする請求項４に記載の送信装置。
【請求項６】
複数のサブキヤリアを使用して優先度の高いデータと優先度の低いデータを同時に送信するようになされた送信装置からの送信信号を受信する受信装置において、
上記優先度の高いデータが重畳された上記サブキヤリアと上記優先度の低いデータが重畳された上記サブキヤリアとが交互に配置された上記送信信号に対して所定の受信処理を施すことにより周波数軸上にシンボルが並ぶ受信シンボルストリームを得る受信手段と、
上記受信シンボルストリームに当該受信シンボルストリームを所定時間遅延した遅延シンボルストリームを加算することにより上記優先度の高いデータに関する信号成分を抽出して当該優先度の高いデータを復元する第１の復調手段と、
上記受信シンボルストリームにフーリエ変換処理を施すことによつて時間軸上にシンボルが並ぶシンボルストリームを得、当該シンボルストリームから上記優先度の低いデータのシンボルを抽出して当該優先度の低いデータを復元する第２の復調手段と
を具えることを特徴とする受信装置。
【請求項７】
上記優先度の低いデータは所定のメツセージデータからなると共に、上記優先度の高いデータは上記メツセージデータの存在及び属性を示すプリアンブルデータからなり、
上記第１の復調手段によつて上記プリアンブルデータを復元することにより上記メツセージデータの存在及び属性を検出した後、上記第２の復調手段によつて上記メツセージデータを復元する
ことを特徴とする請求項６に記載の受信装置。
【請求項８】
上記第１の復調手段は、
相関値検出によつて上記優先度の高いデータに関する信号成分から当該優先度の高いデータを復元する
ことを特徴とする請求項６に記載の受信装置。
【請求項９】
所定のエリアを所望の大きさのセルに分割して当該セル毎に基地局を設置し、移動局は自局が存在するセル内の上記基地局と無線通信するようになされたセルラー無線通信システムにおいて、
上記移動局は、
メツセージデータが重畳されたサブキヤリアと上記メツセージデータの存在及び属性を示すプリアンブルデータが重畳されたサブキヤリアとを交互に配置してなる送信信号をランダムアクセスチヤネルを介して送信し、
上記基地局は、
上記送信信号に対して所定の受信処理を施すことによつて周波数軸上にシンボルが並ぶ受信シンボルストリームを得、上記受信シンボルストリームに当該受信シンボルストリームを所定時間遅延した遅延シンボルストリームを加算することにより上記プリアンブルデータに関する信号成分を抽出し、当該信号成分を基に上記プリアンブルデータを検出し、
上記プリアンブルデータの検出により上記メツセージデータの存在及び属性を確認した後、上記受信シンボルストリームにフーリエ変換処理を施すことによつて時間軸上にシンボルが並ぶシンボルストリームを得、当該シンボルストリームから上記メツセージデータのシンボルを抽出して当該メツセージデータを復元する
ことを特徴とするセルラー無線通信システム。
【請求項１０】
所定のエリアを所望の大きさのセルに分割して当該セル毎に基地局を設置し、移動局は自局が存在するセル内の上記基地局と無線通信するようになされたセルラー無線通信システムにおいて、
上記基地局は、
メツセージデータが重畳されたサブキヤリアと上記メツセージデータの存在及び属性を示すプリアンブルデータが重畳されたサブキヤリアとを交互に配置してなる送信信号を初期補足チヤネルを介して送信し、
上記移動局は、
上記送信信号に対して所定の受信処理を施すことによつて周波数軸上にシンボルが並ぶ受信シンボルストリームを得、上記受信シンボルストリームに当該受信シンボルストリームを所定時間遅延した遅延シンボルストリームを加算することにより上記プリアンブルデータに関する信号成分を抽出し、当該信号成分を基に上記プリアンブルデータを検出し、
上記プリアンブルデータの検出により上記メツセージデータの存在及び属性を確認した後、上記受信シンボルストリームにフーリエ変換処理を施すことによつて時間軸上にシンボルが並ぶシンボルストリームを得、当該シンボルストリームから上記メツセージデータのシンボルを抽出して当該メツセージデータを復元する
ことを特徴とするセルラー無線通信システム。
【発明の詳細な説明】
【０００１】
【目次】
以下の順序で本発明を説明する。
【０００２】
発明の属する技術分野
従来の技術（図１４〜図１９）
発明が解決しようとする課題
課題を解決するための手段
発明の実施の形態
（１）第１の実施の形態
（１−１）フレーム構成（図１）
（１−２）キヤリア構成（図２）
（１−３）送信装置の構成（図３）
（１−４）受信装置の構成（図４〜図６）
（１−５）動作及び効果
（２）第２の実施の形態
（２−１）背景技術
（２−２）フレーム構成（図７）
（２−３）ランダムアクセスチヤネルの構成（図８）
（２−４）送信装置の構成（図９）
（２−５）受信装置の構成（図１０）
（２−６）動作及び効果
（３）他の実施の形態（図１１〜図１３）
発明の効果
【０００３】
【発明の属する技術分野】
本発明は通信方法、送信装置、受信装置及びセルラー無線通信システムに関し、例えば携帯電話システムに適用して好適なものである。
【０００４】
【従来の技術】
従来、無線通信の分野においては、優先度の高いデータと優先度の低いデータとを組み合わせて送信するようなことが広く一般に行われている。このように優先度の高いデータと優先度の低いデータとを組み合わせて送信する典型的なデイジタル無線通信システムについて以下に説明する。但し、以降の説明では、送信データの１フレームを優先度の高いデータと優先度の低いデータによつて構成し、その１フレーム分の送信データを１つの送信スロツトで送信するものとする。因みに、ここで言うフレームとはデイジタルデータを取り扱うときの情報単位であり、スロツトとはデイジタルデータを伝送するときの情報単位である。
【０００５】
まずこのような無線通信システムでは、１フレームで二種類の情報を送信することにより、図１４に示すように、１つのフレームをハイプライオリテイ・フイールドとロープライオリテイ・フイールドとに分割するようになされており、当該ハイプライオリテイ・フイールドに優先度の高いデータを格納すると共に、ロープライオリテイ・フイールドに優先度の低いデータを格納するようになされている。この場合、各フイールドに対しては送信対象のデータの情報ビツトのみを格納するのではなく、エラー検出及び訂正用ビツトも格納するようになされており、これにより受信側では当該エラー検出及び訂正用ビツトを使用して受信した情報ビツトの誤り検出及び誤り訂正を行うことができるようになされている。
【０００６】
因みに、通常、優先度の高いデータに対しては誤り検出及び誤り訂正能力が高いエラー検出及び訂正用ビツトが付加され、優先度の低いデータに対しては比較的にその能力が低いエラー検出及び訂正用ビツトが付加される。このため一般的には、優先度の高いデータに付加されたエラー検出及び訂正用ビツトの方が長くなる傾向にある。
【０００７】
ここでこのような構造を有するフレームを実際に送信する送信装置を図１５に示す。この図１５に示すように、送信装置１においては、まず優先度の高いデータを構成するビツトストリームＤＨ１を第１のエラー訂正ビツト付加回路２に入力し、優先度の低いデータを構成するビツトストリームＤＬ１を第２のエラー訂正ビツト付加回路３に入力するようになされている。
【０００８】
第１のエラー訂正ビツト付加回路２は、入力されるビツトストリームＤＨ１に基づいてエラー検出及び訂正用ビツトを算出し、これを当該ビツトストリームＤＨ１に付加することにより上述したハイプライオリテイ・フイールドに格納するビツトストリームＤ１を生成し、これを後段のフレーム生成回路４に出力する。因みに、この第１のエラー訂正ビツト付加回路２では、誤り検出及び誤り訂正能力が優れたエラー検出及び訂正用ビツトを算出して付加するようになされている。
【０００９】
一方、第２のエラー訂正ビツト付加回路３は、入力されるビツトストリームＤＬ１に基づいてエラー検出及び訂正用ビツトを算出し、これを当該ビツトストリームＤＬ１に付加することにより上述したロープライオリテイ・フイールドに格納するビツトストリームＤ２を生成し、これを後段のフレーム生成回路４に出力する。因みに、この第２のエラー訂正ビツト付加回路３では、第１のエラー訂正ビツト付加回路２に比して誤り検出及び誤り訂正能力が低いエラー検出及び訂正用ビツトを算出して付加するようになされている。
【００１０】
フレーム生成回路４は図１４に示したようにビツトストリームＤ１の後にビツトストリームＤ２を付加することにより１フレーム分の送信データストリームＤ３を生成し、これを変調回路５に出力する。変調回路５はこの送信データストリームＤ３に対して所定の変調処理を施すことにより送信シンボルストリームＤ４を生成し、これを送信回路６に出力する。送信回路６はこの送信シンボルストリームＤ４に対してフイルタリング処理を施した後、デイジタル／アナログ変換処理を施すことにより送信信号を生成し、当該送信信号に対して周波数変換処理を施すことにより送信信号Ｓ１を生成する。かくしてこの送信信号Ｓ１をアンテナ７を介して送信することにより、この送信装置１では、優先度の高いデータと優先度の低いデータとを組み合わせたデータを送信するようになされている。
【００１１】
一方、図１６に示すように、受信装置１０においては、送信装置１からの送信信号Ｓ１をアンテナ１１によつて受け、これを受信信号Ｓ２として受信回路１２に入力するようになされている。受信回路１２は受信信号Ｓ２に対してフイルタリング処理を施した後、当該受信信号Ｓ２に周波数変換処理を施すことによりベースバンド信号を取り出し、このベースバンド信号に対してアナログ／デイジタル変換処理を施すことにより受信シンボルストリームＤ５を取り出す。
【００１２】
復調回路１３は受信回路１２によつて取り出された受信シンボルストリームＤ５に所定の復調処理を施すことにより受信データストリームＤ６（この受信データストリームＤ６は送信データストリームＤ３と完全に等しくはなく、伝送途中で受けたデータ誤りを含むものである）を復元し、これをフイールド分割回路１４に出力する。フイールド分割回路１４はこのようにして復元された受信データストリームＤ６をハイプライオリテイ・フイールドのビツトストリームＤ７とロープライオリテイ・フイールドのビツトストリームＤ８に分解し、そのビツトストリームＤ７、Ｄ８をそれぞれ第１のエラー検出及び訂正回路１５、第２のエラー検出及び訂正回路１６に出力する。
【００１３】
第１のエラー検出及び訂正回路１５は、ビツトストリームＤ７に含まれるエラー検出及び訂正用ビツトに基づいて、受信した情報ビツトに含まれるデータ誤りを検出してそのデータ誤りを訂正することにより送信された情報ビツトを復元し、これを優先度の高いデータのビツトストリームＤＨ２として出力する。同様に、第２のエラー検出及び訂正回路１６は、ビツトストリームＤ８に含まれるエラー検出及び訂正用ビツトに基づいて、受信した情報ビツトに含まれるデータ誤りを検出してそのデータ誤りを訂正することにより送信された情報ビツトを復元し、これを優先度の低いデータのビツトストリームＤＬ２として出力する。かくしてこのような処理により、受信装置１０においては受信信号Ｓ２から優先度の高いデータと優先度の低いデータがそれぞれ復元される。
【００１４】
このように優先度の高いデータと優先度の低いデータとを組み合わせて送信するようなことは、実際上、携帯電話システム等のセルラー無線通信システムにおいても行われている。この点について、以下に携帯電話システムを例に上げて具体的に説明する。
【００１５】
一般に、携帯電話システムにおいては、通信サービスを提供するエリアを所望の大きさのセルに分割して当該セル内にそれぞれ固定無線局としての基地局を設置し、移動無線局としての携帯電話機は自分が存在するセル内の基地局と無線通信するようになされており、いわゆるセルラー無線通信システムを構築するようになされている。
【００１６】
このような携帯電話システムにおいては、例えば携帯電話機から発呼する場合、次に説明するような手順によつて発呼処理を行うようになされている。まず携帯電話機は、プリアンブルデータ及びメツセージデータからなる制御データをランダムアクセスチヤネル（ＲＡＣＨ）と呼ばれる制御チヤネルを用いて基地局に送信する。基地局は、このランダムアクセスチヤネルを監視しており、プリアンブルデータの有無を検出することにより、携帯電話機からのメツセージがあるか否かを検出する。そして基地局は、プリアンブルデータが検出されると、携帯電話機からのメツセージがあるものとして続くメツセージデータを検出し、当該メツセージデータの内容を解析する。その結果、メツセージデータの内容が発呼要求であれば、基地局はその携帯電話機との通信に使用する占有制御チヤネル（ＤＣＣＨ）を確定し、このチヤネル番号を応答用制御チヤネル（ＡＧＣＨ）を用いて携帯電話機に通達する。以降、この通達された占有制御チヤネルを介して携帯電話機と基地局との間で所定の制御処理を実行することにより、携帯電話機からの発呼処理を実現する。
【００１７】
この発呼処理において最初に携帯電話機から送られてくる制御データは、上述したようにプリアンブルデータとメツセージデータとによつて構成されている。この場合、プリアンブルデータはメツセージデータの存在を示しており、基地局側ではこのプリアンブルデータの存在をまず検出することによりメツセージデータがあるか否かを検出している。従つて基地局側からみて検出順序を基にデータに優先順位を付けるとすれば、プリアンブルデータが最も優先度が高いデータであり、具体的な要求内容を示すメツセージデータはプリアンブルデータに比して優先度の低いデータとなる。
【００１８】
ところで優先度の高いデータに相当するプリアンブルデータを検出する場合には、通常のＦＤＭＡ（Frequency Divition Multiple Access：周波数分割多元接続）方式や通常のＴＤＭＡ（Time Divition Multiple Access ：時分割多元接続）方式の携帯電話システムでは、プリアンブルデータを復元して検出するのではなく、実際にはランダムアクセスチヤネルの電力を測定することによりプリアンブルデータを検出している。これに対してＣＤＭＡ（Code Divition Multiple Access ：符号分割多元接続）方式の携帯電話システムでは、周波数や時間といつた物理的な分割ではなく拡散符号の相違による分割であるために帯域上にその他の信号が混在しており、そのため単なる電力測定ではプリアンブルデータを検出し得ず、結果的にプリアンブルデータを復元することにより当該プリアンブルデータの検出を行うようになされている。
【００１９】
ここでこの点について、以下に具体例を上げて説明する。因みに、この場合も、制御データは１フレームで構成され、その制御データを１送信スロツトで送信するものとする。
【００２０】
まず図１７に示すように、１フレームのデータ構造としてはフレーム前半にプリアンブルフイールドが形成され、フレーム後半に情報フイールドが形成される。この場合、プリアンブルフイールドにはプリアンブルデータが格納され、情報フイールドにはメツセージデータを構成する情報ビツトと当該情報ビツトに対するエラー検出及び訂正用ビツトが格納されるようになされている。
【００２１】
ここでこのようなデータ構造を有する制御データを実際に送信する送信装置を図１８に示す。この図１８に示すように、送信装置２０においては、まずプリアンブルデータのビツトストリームＤＰ１をフレーム生成回路２１に入力し、メツセージデータのビツトストリームＤＭ１をエラー訂正ビツト付加回路２２に入力するようになされている。
【００２２】
エラー訂正ビツト付加回路２２は、入力されるビツトストリームＤＭ１に基づいてエラー検出及び訂正用ビツトを算出し、これを当該ビツトストリームＤＭ１に付加することにより上述した情報フイールドに格納するビツトストリームＤ１１を生成し、これをフレーム生成回路２１に出力する。フレーム生成回路２１は、図１７に示したようにプリアンブルデータのビツトストリームＤＰ１の後にビツトストリームＤ１１を付加することにより１フレーム分の送信データストリームＤ１２を生成し、これを変調回路２３に出力する。
【００２３】
変調回路２３は、この送信データストリームＤ１２に対して所定の変調処理を施すことにより送信シンボルストリームＤ１３を生成し、これを送信回路２４に出力する。送信回路２４は、送信シンボルストリームＤ１３に所望の拡散符号を乗算した後にフイルタリング処理を施し、その後デイジタル／アナログ変換処理を施すことにより送信信号を生成する。そして送信回路２４は、その送信信号に対して周波数変換処理を施すことにより所定帯域の送信信号Ｓ１０を生成する。かくしてこの送信信号Ｓ１０をアンテナ２５を介して送信することにより、この送信装置２０では、プリアンブルデータ及びメツセージデータからなる制御データを送信するようになされている。
【００２４】
一方、図１９に示すように、受信装置３０においては、送信装置２０からの送信信号Ｓ１０をアンテナ３１によつて受け、これを受信信号Ｓ１１として受信回路３２に入力するようになされている。受信回路３２は受信信号Ｓ１１に対してフイルタリング処理を施した後、当該受信信号Ｓ１１に周波数変換を施すことによりベースバンド信号を取り出し、このベースバンド信号に対してアナログ／デイジタル変換処理を施した後に拡散符号を乗算することにより受信シンボルストリームＤ１４を取り出す。
【００２５】
復調回路３３は受信回路３２によつて取り出された受信シンボルストリームＤ１４に所定の復調処理を施すことにより受信データストリームＤ１５（この受信データストリームＤ１５は送信データストリームＤ１２と完全に等しくはなく、伝送途中で受けたデータ誤りを含むものである）を復元し、これをフイールド分割回路３４に出力する。
【００２６】
フイールド分割回路３４はこのようにして復元された受信データストリームＤ１５をプリアンブルフイールドのビツトストリームＤ１６と情報フイールドのビツトストリームＤ１７に分解し、そのビツトストリームＤ１６、Ｄ１７をそれぞれプリアンブル検出回路３５、エラー検出及び訂正回路３６に出力する。因みに、フイールド分割回路３４では、このフイールド分解を時間分割によつて行つている。すなわち図１７に示したようにプリアンブルフイールドと情報フイールドとではプリアンブルフイールドの方が時間的に先で情報フイールドの方が時間的に後になつているので、そのタイミング関係を利用して分解処理を行つている。
【００２７】
プリアンブル検出回路３５は、ビツトストリームＤ１６がプリアンブルデータであるか否か判定し、プリアンブルデータであればエラー検出及び訂正回路３６に対して制御信号Ｓ１２を出力する。これを受けたエラー検出及び訂正回路３６はエラー検出及び訂正処理を開始し、入力されるビツトストリームＤ１７に含まれるエラー検出及び訂正用ビツトに基づいて受信したメツセージデータの情報ビツトに含まれるデータ誤りを検出してそのデータ誤りを訂正する。その結果、メツセージデータの情報ビツトが正しく復元されると、エラー検出及び訂正回路３６はそのメツセージデータのビツトストリームＤＭ２を通信シーケンス等を管理する制御回路（図示せず）に出力する。これにより制御回路はメツセージデータを受信したことを把握し得、そのメツセージデータに応じた通信シーケンスを制御し得る。
【００２８】
因みに、ここではフイールド分割回路３４によつてフイールド分解を行うと説明したが、データ分離のためのフイールド分解を行わず、単に受信データＤ１５の先頭にあるプリアンブルデータの検出処理を行い、その結果、プリアンブルデータが検出されたら続くメツセージデータのエラー訂正処理を行うようにする場合も有り得る。
【００２９】
【発明が解決しようとする課題】
ところでかかる従来の通信方法においては、優先度の高いデータと優先度の低いデータとを組み合わせて送信する場合、それぞれのデータを別々に扱つてはいるものの、同一レベルでの処理を別々に行つているのに過ぎず、優先度を反映させた処理が行われていないのが実状である。
【００３０】
また従来の通信方法では、例えばランダムアクセスチヤネルを使用して制御データを送信する際、プリアンブルデータを検出することによつてメツセージデータの存在を確認しているが、これはプリアンブルデータとメツセージデータが時間方向で分離されているのでこのような処理が容易に実現可能であつた。しかしながら送信対象のデータを複数のキヤリアを使用して同時に送信するようなマルチキヤリア方式の通信では、プリアンブルデータとメツセージデータが時間方向に分離されていないので、このような時間方向の処理を行えないといつた不都合がある。
【００３１】
このためこのようなマルチキヤリア方式の通信でプリアンブルデータ及びメツセージデータからなる制御データを伝送しようとする場合には、受信側でプリアンブルデータの信号成分とメツセージデータの信号成分を周波数方向で分離することによりプリアンブルデータの信号成分とメツセージデータの信号成分を抽出してそれぞれのデータを復元することが一般的に考えられる。しかしながらこの方法では、プリアンブルデータの信号成分とメツセージデータの信号成分を分離するために高精度のフイルタが必要になり、受信側の装置構成が複雑になつてしまうおそれがある。
【００３２】
本発明は以上の点を考慮してなされたもので、マルチキヤリア方式で優先度の高いデータと優先度の低いデータを同時に送信した場合でも、優先度に応じた処理を簡易な構成で行い得る通信方法及びそれを用いた送信装置、受信装置並びにセルラー無線通信システムを提案しようとするものである。
【００３３】
【課題を解決するための手段】
かかる課題を解決するため本発明においては、複数のサブキヤリアを使用して優先度の高いデータと優先度の低いデータを同時に送信する通信方法において、優先度の高いデータが重畳されたサブキヤリアと優先度の低いデータが重畳されたサブキヤリアとを交互に配置してなる送信信号を送信し、受信側では、送信信号に対して所定の受信処理を施すことによつて周波数軸上にシンボルが並ぶ受信シンボルストリームを得、受信シンボルストリームに当該受信シンボルストリームを所定時間遅延した遅延シンボルストリームを加算することにより優先度の高いデータに関する信号成分を抽出して当該優先度の高いデータを復元すると共に、受信シンボルストリームにフーリエ変換処理を施すことによつて時間軸上にシンボルが並ぶシンボルストリームを得、当該シンボルストリームから優先度の低いデータのシンボルを抽出して当該優先度の低いデータを復元するようにした。
【００３４】
また本発明においては、複数のサブキヤリアを使用して優先度の高いデータと優先度の低いデータを同時に送信する送信装置において、受信側で、所定の受信処理を施すことにより周波数軸上にシンボルが並ぶ受信シンボルストリームを得て受信シンボルストリームに当該受信シンボルストリームを所定時間遅延した遅延シンボルストリームを加算することにより優先度の高いデータに関する信号成分を抽出して当該優先度の高いデータを復元し得ると共に、受信シンボルストリームにフーリエ変換処理を施すことにより時間軸上にシンボルが並ぶシンボルストリームを得て当該シンボルストリームから優先度の低いデータのシンボルを抽出して当該優先度の低いデータを復元し得るように、優先度の高いデータが重畳されたサブキヤリアと優先度の低いデータが重畳されたサブキヤリアとを交互に配置してなる送信信号を送信する送信手段を設けるようにした。
【００３５】
また本発明においては、複数のサブキヤリアを使用して優先度の高いデータと優先度の低いデータを同時に送信するようになされた送信装置からの送信信号を受信する受信装置において、優先度の高いデータが重畳されたサブキヤリアと優先度の低いデータが重畳されたサブキヤリアとが交互に配置された送信信号に対して所定の受信処理を施すことにより周波数軸上にシンボルが並ぶ受信シンボルストリームを得る受信手段と、受信シンボルストリームに当該受信シンボルストリームを所定時間遅延した遅延シンボルストリームを加算することにより優先度の高いデータに関する信号成分を抽出して当該優先度の高いデータを復元する第１の復調手段と、受信シンボルストリームにフーリエ変換処理を施すことによつて時間軸上にシンボルが並ぶシンボルストリームを得、当該シンボルストリームから優先度の低いデータのシンボルを抽出して当該優先度の低いデータを復元する第２の復調手段とを設けるようにした。
【００３６】
また本発明においては、所定のエリアを所望の大きさのセルに分割して当該セル毎に基地局を設置し、移動局は自局が存在するセル内の基地局と無線通信するようになされたセルラー無線通信システムにおいて、移動局は、メツセージデータが重畳されたサブキヤリアとメツセージデータの存在及び属性を示すプリアンブルデータが重畳されたサブキヤリアとを交互に配置してなる送信信号をランダムアクセスチヤネルを介して送信し、基地局は、送信信号に対して所定の受信処理を施すことによつて周波数軸上にシンボルが並ぶ受信シンボルストリームを得、受信シンボルストリームに当該受信シンボルストリームを所定時間遅延した遅延シンボルストリームを加算することによりプリアンブルデータに関する信号成分を抽出し、当該信号成分を基にプリアンブルデータを検出し、プリアンブルデータの検出によりメツセージデータの存在及び属性を確認した後、受信シンボルストリームにフーリエ変換処理を施すことによつて時間軸上にシンボルが並ぶシンボルストリームを得、当該シンボルストリームからメツセージデータのシンボルを抽出して当該メツセージデータを復元するようにした。
【００３７】
また本発明においては、所定のエリアを所望の大きさのセルに分割して当該セル毎に基地局を設置し、移動局は自局が存在するセル内の基地局と無線通信するようになされたセルラー無線通信システムにおいて、基地局は、メツセージデータが重畳されたサブキヤリアとメツセージデータの存在及び属性を示すプリアンブルデータが重畳されたサブキヤリアとを交互に配置してなる送信信号を初期補足チヤネルを介して送信し、移動局は、送信信号に対して所定の受信処理を施すことによつて周波数軸上にシンボルが並ぶ受信シンボルストリームを得、受信シンボルストリームに当該受信シンボルストリームを所定時間遅延した遅延シンボルストリームを加算することによりプリアンブルデータに関する信号成分を抽出し、当該信号成分を基にプリアンブルデータを検出し、プリアンブルデータの検出によりメツセージデータの存在及び属性を確認した後、受信シンボルストリームにフーリエ変換処理を施すことによつて時間軸上にシンボルが並ぶシンボルストリームを得、当該シンボルストリームからメツセージデータのシンボルを抽出して当該メツセージデータを復元するようにした。
【００３８】
このように優先度の高いデータが重畳されたサブキヤリアと優先度の低いデータが重畳されたサブキヤリアとを交互に配置して送信し、受信側では、所定の受信処理によつて周波数軸上にシンボルが並ぶ受信シンボルストリームを得、受信シンボルストリームに当該受信シンボルストリームを所定時間遅延した遅延シンボルストリームを加算することにより優先度の高いデータに関する信号成分を抽出して当該優先度の高いデータを復元するようにしたことにより、簡易な構成で優先度の高いデータを速やかに復元し得、かくしてマルチキヤリア方式で優先度の高いデータと優先度の低いデータを同時に送信した場合でも、優先度に応じた処理を簡易な構成で行い得る。
【００３９】
同様に、セルラー無線通信システムにおいてメツセージデータが重畳されたサブキヤリアとメツセージデータの存在及び属性を示すプリアンブルデータが重畳されたサブキヤリアとを交互に配置して送信し、受信側では、所定の受信処理によつて周波数軸上にシンボルが並ぶ受信シンボルストリームを得、受信シンボルストリームに当該受信シンボルストリームを所定時間遅延した遅延シンボルストリームを加算することによりプリアンブルデータに関する信号成分を抽出し、当該信号成分を基にプリアンブルデータを検出し、プリアンブルデータの検出によりメツセージデータの存在及び属性を確認した後、受信シンボルストリームにフーリエ変換処理を施すことによつて時間軸上にシンボルが並ぶシンボルストリームを得、当該シンボルストリームからメツセージデータのシンボルを抽出して当該メツセージデータを復元するようにしたことにより、簡易な構成でプリアンブルデータを速やかに検出し得、かくしてマルチキヤリア方式でプリアンブルデータとメツセージデータを同時に送信した場合でも、優先度に応じた処理を簡易な構成で行い得る。
【００４０】
【発明の実施の形態】
以下図面について、本発明の一実施の形態を詳述する。
【００４１】
（１）第１の実施の形態
（１−１）フレーム構成
まずこの項では、本発明による通信システムのフレーム構成を説明する。本発明による通信システムにおいては、優先度の高いデータと優先度の低いデータとを１つのフレームで送信するが、その際、図１に示すように、優先度の高いデータの送信シンボルと優先度の低いデータの送信シンボルとをフレーム内に交互に配置するようになされている。すなわち交互に配置されている送信シンボルを１つおきに集めると優先度の高いデータであるハイプライオリテイ・フイールドとなり、残りの送信シンボルを集めると優先度の低いデータであるロープライオリテイ・フイールドとなる。
【００４２】
この場合、ロープライオリテイ・フイールドには、優先度の低いデータの情報ビツトから生成された送信シンボルと、当該優先度の低いデータに対して付加されるエラー検出及び訂正用ビツトから生成された送信シンボルとが格納される。これに対してハイプライオリテイ・フイールドには、優先度の高いデータの情報ビツトから生成された送信シンボルのみが格納され、エラー検出及び訂正用ビツトから生成された送信シンボルは格納されない。なお、この優先度の高い送信シンボルは、優先度の高いデータの情報ビツトに対して畳み込み符号化による系列間距離の伸長処理やＭ−ａｒｙ変調による系列間の直交処理を行うことにより生成された符号化ビツトを基に生成されたシンボルである。このように優先度の高いデータに関してはエラー検出及び訂正用ビツトを付加せず、系列間距離の伸長処理又は系列間の直交処理を施すようにしたことにより、受信側では相関検出によつて速やかに優先度の高いデータを復元することができる。
【００４３】
（１−２）キヤリア構成
本発明を適用した通信システムでは、上述したような構成の１フレーム分の送信シンボルを複数のサブキヤリアを使用して１変調時間内で同時に送信するいわゆるマルチキヤリア通信を行うようになされている。具体的には、図２に示すように、周波数軸上に等間隔で配置された例えば24本のサブキヤリアＣ０〜Ｃ２３によつて１つの周波数チヤネルを構成し、これら24本のサブキヤリアＣ０〜Ｃ２３のうち両端にあるガードキヤリアとしてのサブキヤリアＣ０、Ｃ２３を除く22本のサブキヤリアＣ１〜Ｃ２２を使用して１フレーム分の送信シンボルを送信するようになされている。従つてこの通信システムの場合には、１変調時間内で送信される送信シンボルは周波数軸上に並んで送信されることになる。
【００４４】
なお、以降の説明では、説明の便宣上、各送信シンボルは例えばＱＰＳＫ（Quadrature Phase Shift Keying ：４相位相変調）変調によつてシンボルマツピングされ、各送信シンボルがサブキヤリアＣ１〜Ｃ２２に対してそれぞれ１つずつ割り当てられて送信されるものとする。
【００４５】
この通信システムでは、図１に示したフレーム構成の送信シンボルをこの図２に示す複数のサブキヤリアＣ１〜Ｃ２２に順に１つずつ割り当てるようになされている。このため奇数番目のサブキヤリアＣ１、Ｃ３、Ｃ５、Ｃ７、Ｃ９、Ｃ１１、Ｃ１３、Ｃ１５、Ｃ１７、Ｃ１９、Ｃ２１が優先度の高い送信シンボルの送信に用いられ、偶数番目のサブキヤリアＣ２、Ｃ４、Ｃ６、Ｃ８、Ｃ１０、Ｃ１２、Ｃ１４、Ｃ１６、Ｃ１８、Ｃ２０、Ｃ２２が優先度の低い送信シンボルの送信に用いられることになる。
【００４６】
因みに、優先度の高い送信シンボルは、優先度の高いデータの情報ビツトに対して畳み込み符号化による系列間距離の伸長処理やＭ−ａｒｙ変調による系列間の直交処理を行うことにより生成された符号化ビツトに、ＱＰＳＫ変調を施すことにより生成されたシンボルであり、この優先度の高い送信シンボルはそれぞれそのままサブキヤリアＣ１、Ｃ３、Ｃ５、Ｃ７、Ｃ９、Ｃ１１、Ｃ１３、Ｃ１５、Ｃ１７、Ｃ１９、Ｃ２１に割り当てられる。
【００４７】
これに対して優先度の低い送信シンボルは、優先度の低いデータの情報ビツト及びそれに対して付加されたエラー検出及び訂正用ビツトにＱＰＳＫ変調を施すことにより生成されたシンボルであり、サブキヤリアに割り当てる際には、１つ前の優先度の高い送信シンボルとの差動位相を取つてこれをサブキヤリアＣ２、Ｃ４、Ｃ６、Ｃ８、Ｃ１０、Ｃ１２、Ｃ１４、Ｃ１６、Ｃ１８、Ｃ２０、Ｃ２２に割り当てるようになされている。すなわち優先度の低い送信シンボルはそれぞれＤＱＰＳＫ（Differential Quadrature Phase Shift Keying：差動４相位相変調）変調処理が施されてサブキヤリアＣ２、Ｃ４、Ｃ６、Ｃ８、Ｃ１０、Ｃ１２、Ｃ１４、Ｃ１６、Ｃ１８、Ｃ２０、Ｃ２２に割り当てられるようになされている。
【００４８】
（１−３）送信装置の構成
次にこの項では、本発明による通信システムの送信装置を説明する。図３において、４０は全体として本発明による通信システムの送信装置を示し、優先度の高いデータのビツトストリームＤＨ３をエンコーダ４１に入力すると共に、優先度の低いデータのビツトストリームＤＬ３をエラー訂正ビツト付加回路４２に入力するようになされている。
【００４９】
エンコーダ４１は、入力される優先度の高いビツトストリームＤＨ３に対して例えば畳み込み符号化による系列間距離の伸長処理やＭ−ａｒｙ変調による系列間の直交処理を行うことにより符号化処理を行い、その結果得られる符号化ビツトストリームＤ２０を後段のＱＰＳＫ変調回路４３に出力する。ＱＰＳＫ変調回路４３は、入力される符号化ビツトストリームＤ２０に対して順にＱＰＳＫ変調処理を施すことにより送信シンボルストリームＤ２１を生成し、これを後段の第１の選択スイツチ４４の第１の入力端に出力する。
【００５０】
一方、エラー訂正ビツト付加回路４２は、入力される優先度の低いビツトストリームＤＬ３に基づいてエラー検出及び訂正用ビツトを算出し、これを当該ビツトストリームＤＬ３に付加することによりエラー訂正のための処理が施されたビツトストリームＤ２２を生成し、これを後段のＱＰＳＫ変調回路４５に出力する。ＱＰＳＫ変調回路４５は、入力されるビツトストリームＤ２２に対して順にＱＰＳＫ変調処理を施すことにより送信シンボルストリームＤ２３を生成し、これを後段の第１の選択スイツチ４４の第２の入力端に出力する。
【００５１】
第１の選択スイツチ４４は、入力端との接続状態を交互に切り換えることにより第１の入力端に供給される送信シンボルと第２の入力端に供給される送信シンボルとを交互に選択し、これにより図１に示したような優先度の高い送信シンボルと優先度の低い送信シンボルとが交互に並ぶシンボルストリームＤ２４を生成し、これを第２の選択スイツチ４６の第１の入力端及び差動変調回路４７を構成する遅延回路４７Ａと乗算器４７Ｂに出力する。
【００５２】
差動変調回路４７においては、現在入力される送信シンボルと、遅延回路４７Ａを介して得られる１シンボル前の送信シンボルとを乗算器４７Ｂによつて乗算することにより現在入力された送信シンボルに差動変調を施し、これを順に繰り返していくことにより差動シンボルストリームＤ２５を生成し、これを第２の選択スイツチ４６の第２の入力端に出力する。
【００５３】
第２の選択スイツチ４６は、シンボルストリームＤ２４が奇数番目のシンボルのときに第１の入力端と接続することによりシンボルストリームＤ２４のうちの奇数番目のシンボルを選択し、差動シンボルストリームＤ２５が偶数番目のシンボルのときに第２の入力端と接続することにより差動シンボルストリームＤ２５のうちの偶数番目のシンボルを選択し、その結果生成されるシンボルストリームＤ２６を後段の逆高速フーリエ変換回路（ＩＦＦＴ）４８に出力する。この場合、シンボルストリームＤ２４及び差動シンボルストリームＤ２５の奇数番目は優先度の高い送信シンボルであり、偶数番目は優先度の低い送信シンボルである。従つて第２の選択スイツチ４６によりシンボルストリームＤ２４と差動シンボルストリームＤ２５とを交互に選択すれば、優先度の高い送信シンボルと差動変調された優先度の低い送信シンボルとが交互に並んだシンボルストリームＤ２６が得られる。因みに、差動変調する際には、１つ前のシンボルとの差動変調を行つているので、優先度の低い送信シンボルには優先度の高い送信シンボルを基準とした差動変調が行われていることになる。
【００５４】
逆高速フーリエ変換回路４８は、シンボルストリームＤ２６に対して逆高速フーリエ変換処理を施すことにより時間軸上に並んでいるシンボルを周波数軸上に並べたような信号を生成する。すなわち逆高速フーリエ変換回路４８は、シンボルストリームＤ２６の各シンボルをそれぞれサブキヤリアＣ１〜Ｃ２２に順に割り当てる処理を行う。この逆高速フーリエ変換回路４８の処理により生成された送信シンボルストリームＤ２７は続く送信回路４９に入力される。
【００５５】
送信回路４９は、送信シンボルストリームＤ２７に対して窓かけ処理いわゆるウインドウ処理を施した後にフイルタリング処理を施し、さらにデイジタル／アナログ変換処理を施すことにより送信信号を生成する。そして送信回路４９はその送信信号に周波数変換処理を施すことにより所定周波数チヤネルの送信信号Ｓ２０を生成し、これをアンテナ５０を介して送信する。かくして優先度の高いデータと優先度の低いデータがサブキヤリアＣ１〜Ｃ２２に対して交互に重畳されたような送信信号Ｓ２０が送信装置４０から送信される。
【００５６】
（１−４）受信装置の構成
次のこの項では、本発明による通信システムの受信装置を説明する。図４において、６０は全体として本発明による通信システムの受信装置を示し、送信装置４０から送信された送信信号Ｓ２０をアンテナ６１によつて受け、これを受信信号Ｓ２１として受信回路６２に入力するようになされている。受信回路６２は、受信信号Ｓ２１に対してフイルタリング処理を施した後、当該受信信号Ｓ２１に対して周波数変換処理を施すことによりベースバンド信号を取り出す。そして受信回路６２はこのベースバンド信号に対してアナログ／デイジタル変換処理を施すことにより受信シンボルストリームＤ３０を得、この受信シンボルストリームＤ３０に対して１変調時間分の窓かけ処理を施した後、これを第１及び第２の復調部６３、６４に出力する。因みに、この受信シンボルストリームＤ３０はフーリエ変換処理する前のシンボルストリームであるので、各シンボルが周波数軸上に並んでいるシンボルストリームである。
【００５７】
第１の復調部６３は優先度の高いデータを復調するための復調部であり、受信シンボルストリームＤ３０をそれぞれ内部の時間遅延回路６５及び加算器６６に入力するようになされている。時間遅延回路６５は、受信回路６２によつて受信した１変調時間Ｔの受信シンボルストリームＤ３０を、図５（Ａ）及び（Ｂ）に示すように、その１変調時間Ｔの半分すなわち時間Ｔ／２だけ遅延し、その結果得られる受信シンボルストリームＤ３１を加算器６６に出力する。
【００５８】
加算器６６は、受信シンボルストリームＤ３１の供給が開始されてから時間Ｔ／２の間だけ、受信シンボルストリームＤ３０と受信シンボルストリームＤ３１の加算処理を行うことにより、図５（Ｃ）に示すように、受信シンボルストリームＤ３０の後半部と受信シンボルストリームＤ３１の前半部を加算したシンボルストリームＤ３２を生成し、これを相関算出回路６７に出力する。
【００５９】
因みに、このように１変調時間Ｔの半分の時間Ｔ／２だけ受信シンボルストリームＤ３０を遅延して受信シンボルストリームＤ３１を生成し、当該受信シンボルストリームＤ３１と受信シンボルストリームＤ３０とを加算処理すると、図２に示したサブキヤリアＣ１〜Ｃ２２の信号成分のうち偶数番目のサブキヤリアＣ２、Ｃ４、Ｃ６、Ｃ８、Ｃ１０、Ｃ１２、Ｃ１４、Ｃ１６、Ｃ１８、Ｃ２０、Ｃ２２の信号成分が打ち消され、奇数番目のサブキヤリアＣ１、Ｃ３、Ｃ５、Ｃ７、Ｃ９、Ｃ１１、Ｃ１３、Ｃ１５、Ｃ１７、Ｃ１９、Ｃ２１の信号成分のみを抽出することができる。
【００６０】
この原理は、図６に示すように、１変調時間の半分の時間Ｔ／２だけ遅延した受信シンボルストリームＤ３１は、原信号である受信シンボルストリームＤ３０に比して各サブキヤリアの信号成分が位相回転するからである。すなわちサブキヤリアＣ１の位相回転量は「０」、サブキヤリアＣ２の位相回転量は「π」、サブキヤリアＣ３の位相回転量は「２π」、サブキヤリアＣ４の位相回転量は「３π」、サブキヤリアＣ５の位相回転量は「４π」、……といつた具合に各サブキヤリアの位相回転が生じる。このように位相回転が生じた受信シンボルストリームＤ３１と原信号である受信シンボルストリームＤ３０とを加算すると、位相回転量が「π」、「３π」、「５π」、……である偶数番目のサブキヤリアＣ２、Ｃ４、Ｃ６、……の信号成分は原信号に対して位相反転が生じているので、これらのサブキヤリアＣ２、Ｃ４、Ｃ６……の信号成分は打ち消されることなる。従つて加算処理によつて生成されたシンボルストリームＤ３２は、優先度の高いデータのシンボルが重畳されている奇数番目のサブキヤリアＣ１、Ｃ３、Ｃ５、Ｃ７、Ｃ９、Ｃ１１、Ｃ１３、Ｃ１５、Ｃ１７、Ｃ１９、Ｃ２１の信号成分のみからなつている。
【００６１】
リフアレンス記憶回路６８には、優先度の高いデータとして考えられる情報ビツトストリームを送信側と同じように符号化処理し、これにＱＰＳＫ変調処理を施した後、これを周波数軸上に並べたようなリフアレンス・シンボルストリームとその元になつている情報ビツトストリームが格納されている。すなわち優先度の高いデータを送信側と同じように処理することによりサブキヤリアＣ１、Ｃ３、Ｃ５、Ｃ７、Ｃ９、Ｃ１１、Ｃ１３、Ｃ１５、Ｃ１７、Ｃ１９、Ｃ２１に重畳したようなリフアレンス・シンボルストリームが、優先度の高いデータとして考えられ得る全ての情報ビツトストリーム分だけ格納されていると共に、その考えられ得る全ての情報ビツトストリームが格納されている。
【００６２】
相関算出回路６７は、このリフアレンス・シンボルストリームＤ３３をリフアレンス記憶回路６８から順に読出し、そのリフアレンス・シンボルストリームＤ３３と入力されるシンボルストリームＤ３２との相関値を算出し、最も相関値が高かつたリフアレンス・シンボルストリームＤ３３に関する情報ビツトストリームＤ３４をリフアレンス記憶回路６８から読出し、これを優先度の高いデータのビツトストリームＤＨ４として出力する。
【００６３】
このようにして第１の復調部６３においては、受信シンボルストリームＤ３０を１変調時間Ｔの半分の時間Ｔ／２だけ遅延し、これを当該受信シンボルストリームＤ３０に加算することにより優先度の高いデータの信号成分だけからなるシンボルストリームＤ３２を生成し、このシンボルストリームＤ３２とリフアレンス・シンボルストリームＤ３３との相関値を算出することにより、優先度の高いデータのビツトストリームＤＨ４を復元するようになされている。これにより第１の復調部６３では、周波数軸上に優先度の高いデータの信号成分と優先度の低いデータの信号成分が並んでいるような場合でも、そのような受信シンボルストリームＤ３０から優先度の高いデータの信号成分のみを抽出して速やかに優先度の高いデータを復元することができる。
【００６４】
一方、第２の復調部６４は、優先度の低いデータを復調するための復調部であり、受信シンボルストリームＤ３０をまずバツフア６９に入力するようになされている。このバツフア６９に蓄えられた受信シンボルストリームＤ３０は順次読み出され、続く高速フーリエ変換回路（ＦＦＴ）７０に入力される。高速フーリエ変換回路７０は、この受信シンボルストリームＤ３０に高速フーリエ変換処理を施すことにより周波数軸上に並んでいるシンボルを時間軸上に並べたような信号を生成する。すなわち高速フーリエ変換回路７０は、各サブキヤリアに重畳されているシンボルを取り出し、これを時間軸上に並べたシンボルストリームＤ３６を生成する。この高速フーリエ変換回路７０の処理により生成されたシンボルストリームＤ３６は続くＤＱＰＳＫ復調回路７１に入力される。
【００６５】
ＤＱＰＳＫ復調回路７１においては、シンボルストリームＤ３６を遅延回路７１Ａ及び乗算器７１Ｂにそれぞれ入力するようになされている。乗算器７１Ｂは、現在入力される受信シンボルと、遅延回路７１Ａを介して供給される１シンボル前の受信シンボルの共役値とを乗算することによりシンボルストリームＤ３６に対して差動復調処理を行う。因みに、この処理により得られるシンボルストリームＤ３７はＱＰＳＫ変調された状態のシンボルストリームである。
【００６６】
選択スイツチ７２は、このシンボルストリームＤ３７を入力端に受け、当該シンボルストリームＤ３７が偶数番目のシンボルのときオン状態になることによりシンボルストリームＤ３７のうちの偶数番目のシンボルのみを抽出する。この場合、シンボルストリームＤ３７の偶数番目のシンボルは、優先度の低いデータに対応したシンボルであるので、この選択スイツチ７２の処理により得られるシンボルストリームＤ３８は優先度の低いデータに対応したシンボルのみからなつているシンボルストリームであり、送信装置４０のＱＰＳＫ変調回路４５から出力されたシンボルストリームＤ２３に対応したものである。
【００６７】
エラー検出及び訂正回路７３は、このシンボルストリームＤ３８を受け、当該シンボルストリームＤ３８からビツトストリームを取り出し、このビツトストリームに含まれるエラー検出及び訂正用ビツトを基に情報ビツトの誤りを検出すると共にその誤りを訂正し、その結果得られた情報ビツトを優先度の低いデータのビツトストリームＤＬ４として出力する。
【００６８】
このようにして第２の復調部６４においては、受信シンボルストリームＤ３０に対して高速フーリエ変換処理を施すことによりシンボルが時間軸上に並んだシンボルストリームＤ３６を得、このシンボルストリームＤ３６に対して差動復調処理を施した後、優先度の低いデータに対応するシンボルストリームＤ３８を抽出してこれから情報ビツトを取り出すことにより、優先度の低いデータを復元するようになされている。
【００６９】
（１−５）動作及び効果
以上の構成において、この通信システムの場合には、送信装置４０において、まず優先度の高いデータから生成したシンボルストリームＤ２１と、優先度の低いデータから生成したシンボルストリームＤ２３とを交互に選択して行くことにより、図１に示したような優先度の高いシンボルと優先度の低いシンボルが交互に並ぶようなシンボルストリームＤ２６を生成する。そしてこのシンボルストリームＤ２６に逆高速フーリエ変換処理を施すことにより、複数のサブキヤリアＣ１〜Ｃ２２に対してシンボルを１つずつ割り当てる。この場合、シンボルストリームＤ２６において優先度の高いシンボルと優先度の低いシンボルが交互に配置されていることにより、周波数軸上でも、優先度の高いシンボルと優先度の低いシンボルが交互に配置されることになる。すなわち奇数番目のサブキヤリアＣ１、Ｃ３、Ｃ５、Ｃ７、Ｃ９、Ｃ１１、Ｃ１３、Ｃ１５、Ｃ１７、Ｃ１９、Ｃ２１に優先度の高いシンボルが重畳され、偶数番目のサブキヤリアＣ２、Ｃ４、Ｃ６、Ｃ８、Ｃ１０、Ｃ１２、Ｃ１４、Ｃ１６、Ｃ１８、Ｃ２０、Ｃ２２に優先度の低いシンボルが重畳される。このようにして生成された送信シンボルストリームＤ２７は、所定の送信処理が施された後、送信信号Ｓ２０としてアンテナ５０を介して送信される。
【００７０】
一方、受信装置６０においては、送信装置４０から送信された送信信号Ｓ２０をアンテナ６１で受信し、これに所定の受信処理を施すことにより受信シンボルストリームＤ３０を得る。受信装置６０においては、まずこの受信シンボルストリームＤ３０を１変調時間Ｔの半分の時間Ｔ／２だけ遅延して受信シンボルストリームＤ３１を生成し、この受信シンボルストリームＤ３１と原信号である受信シンボルストリームＤ３０とを加算処理することにより優先度の高いシンボルが重畳された奇数番目のサブキヤリアＣ１、Ｃ３、Ｃ５、Ｃ７、Ｃ９、Ｃ１１、Ｃ１３、Ｃ１５、Ｃ１７、Ｃ１９、Ｃ２１の信号成分のみからなるシンボルストリームＤ３２を生成する。
【００７１】
かくしてこのシンボルストリームＤ３２とリフアレンス・シンボルストリームＤ３３とを使用して相関値を検出し、最も相関値が高かつたリフアレンス・シンボルストリームＤ３３の元になつている情報ビツトストリームＤ３４を優先度の高いデータのビツトストリームＤＨ４として出力する。
【００７２】
このようにしてこの通信システムの場合には、優先度の高いシンボルと優先度の低いシンボルをフレーム内で交互に配置し、これを複数のサブキヤリアＣ１〜Ｃ２２に順に割り当てることにより、優先度の高いデータが重畳されたサブキヤリアと優先度の低いデータが重畳されたサブキヤリアを周波数軸上に交互に配置した送信信号Ｓ２０を生成してこれを送信し、受信側では、その送信信号Ｓ２０に対して所定の受信処理を施すことによつてシンボルが周波数軸上に並ぶ受信シンボルストリームＤ３０を得、この受信シンボルストリームＤ３０を１変調時間の半分の時間Ｔ／２だけ遅延して受信シンボルストリームＤ３１を生成し、これを原信号の受信シンボルストリームＤ３０に加算処理することにより優先度の高いシンボルの信号成分だけからなるシンボルストリームＤ３２を生成し、これに相関値検出による復調処理を施して優先度の高いデータのビツトストリームＤＨ４を復元する。これによりこの通信システムの場合には、マルチキヤリア通信によつて優先度の高いデータと優先度の低いデータとを１変調時間で同時に送信したとしても、高精度なフイルタ回路を用いなくても簡易な構成で、優先度の高いデータの信号成分のみを速やかに抽出して当該優先度の高いデータを速やかに復元することができる。
【００７３】
一方、優先度の低いデータに関しては、受信シンボルストリームＤ３０に対して高速フーリエ変換処理を施すことによつてシンボルが時間軸上に並ぶシンボルストリームＤ３６を生成し、このシンボルストリームＤ３６のうちの偶数番目のシンボルを抽出することにより優先度の低いデータのシンボルのみからなるシンボルストリームＤ３８を生成する。そしてこのシンボルストリームＤ３８からビツトストリームを取り出し、そのビツトストリームにエラー検出及びエラー訂正処理を施すことにより優先度の低いデータのビツトストリームＤＬ４を復元する。
【００７４】
このようにして優先度の低いデータに関しては、高速フーリエ変換処理を行うことにより周波数軸から時間軸への信号変換処理を行つた後、時間的な分離処理によつて優先度の低いデータのシンボルのみからなるシンボルストリームＤ３８を生成し、これに復調処理及びエラー訂正処理を施して優先度の低いデータＤＬ４を復元するようにしたことにより、優先度の低いデータＤＬ４を確実に復元することができる。
【００７５】
以上の構成によれば、送信側では、優先度の高いデータが重畳されたサブキヤリアと優先度の低いデータが重畳されたサブキヤリアを周波数軸上に交互に配置した送信信号Ｓ２０を送信することにより優先度の高いデータと優先度の低いデータを同時に送信し、受信側では所定の受信処理を介して得た受信シンボルストリームＤ３０を所定時間だけ遅延して当該受信シンボルストリームＤ３０に加算することにより優先度の高いデータに関する信号成分だけを含むシンボルストリームＤ３２を生成し、これに相関値検出による復調処理を施して優先度の高いデータを復元するようにしたことにより、複数のサブキヤリアを使用して１変調時間で優先度の高いデータと優先度の低いデータを同時に送信した場合でも、簡易な構成で優先度の高いデータを速やかに復元することができ、かくしてマルチキヤリア方式で優先度の高いデータと優先度の低いデータを同時に送信した場合でも、優先度に応じた処理を簡易な構成で行うことができる。
【００７６】
（２）第２の実施の形態
（２−１）背景技術
この第２の実施の形態では、本発明をセルラー無線通信システムに適用した場合の例を説明する。但し、ここではセルラー無線通信システムとして携帯電話システムを例に上げて説明する。
【００７７】
まず始めに第２の実施の形態の背景技術となる携帯電話システムについて説明する。一般に、携帯電話システムにおいては、通信サービスを提供するエリアを所望の大きさのセルに分割して当該セル内にそれぞれ固定無線局としての基地局を設置し、移動無線局としての携帯電話機は自分が存在するセル内の基地局と無線通信するようになされており、いわゆるセルラー無線通信システムを構築するようになされている。
【００７８】
このような携帯電話システムにおいては、例えば携帯電話機から発呼する場合、次に説明するような手順によつて発呼処理を行うようになされている。まず携帯電話機は、プリアンブルデータ及びメツセージデータからなる制御データをランダムアクセスチヤネル（ＲＡＣＨ）と呼ばれる制御チヤネルを用いて基地局に送信する。基地局は、このランダムアクセスチヤネルを監視しており、プリアンブルデータの存在を検出することにより、携帯電話機からのメツセージがあるか否かを検出する。そして基地局は、プリアンブルデータが検出されると、携帯電話機からのメツセージがあるものとして続くメツセージデータを検出し、当該メツセージデータの内容を解析する。その結果、メツセージデータの内容が発呼要求であれば、基地局はその携帯電話機との通信に使用する占有制御チヤネル（ＤＣＣＨ）を確定し、このチヤネル番号を応答用制御チヤネル（ＡＧＣＨ）を用いて携帯電話機に通達する。以降、この通達された占有制御チヤネルを介して携帯電話機と基地局との間で所定の制御処理を実行することにより、携帯電話機からの発呼処理を実現する。
【００７９】
この発呼処理において最初に携帯電話機から送られてくる制御データは、上述したようにプリアンブルデータとメツセージデータとによつて構成されている。この場合、プリアンブルデータはメツセージデータの存在を示しており、基地局側ではこのプリアンブルデータを検出することによりメツセージデータがあるか否かを検出している。従つて基地局側からみて検出順序を基にデータに優先順位を付けるとすれば、プリアンブルデータが最も優先度が高いデータであり、具体的な要求内容を示すメツセージデータはプリアンブルデータに比して優先度の低いデータとなる。
【００８０】
ところで優先度の高いデータに相当するプリアンブルデータを検出する場合には、通常、ランダムアクセスチヤネルの電力を測定することによりこれを行うようになされている。しかしながら通信方式によつては電力測定によつてプリアンブルデータを検出し得ないことがある。例えば符号分割によるＣＤＭＡ方式や、スロツト毎に周波数チヤネルを変更するいわゆる周波数ホツピングを行うＴＤＭＡ方式の携帯電話システムでは、帯域上にその他の信号が混在したり、或いは帯域が順次変更されるので、単なる電力測定ではプリアンブルデータを検出し得ない。従つてこの種の携帯電話システムでは、プリアンブルデータそのものを復元してプリアンブルデータを検出するようになされている。
【００８１】
その際、復元処理によつてプリアンブルデータを速やかに検出し得れば、続くメツセージデータを復元し得るので問題はないが、プリアンブルデータが速やかに検出し得なければ、メツセージデータを復元し得なくなるといつたおそれがある。例えば複数のサブキヤリアを使用してプリアンブルデータとメツセージデータを１変調時間で同時に送信するマルチキヤリア方式の場合には、プリアンブルデータの信号成分を速やかに抽出して当該プリアンブルデータを検出しなければ、メツセージデータを復元し得なくなるおそれがある。そこで本発明では、メツセージの存在を示すプリアンブルデータを電力測定によつて検出し得ないような環境でマルチキヤリア通信を行つた場合でも、プリアンブルデータを速やかに検出し得るようにする。以下、この点について順を追つて説明する。
【００８２】
（２−２）フレーム構成
まずプリアンブルデータ及びメツセージデータからなる制御データのフレーム構成を図７に示す。この図７に示すように、本発明を適用した携帯電話システムでは、プリアンブルデータ及びメツセージデータからなる制御データを１つのフレームで送信するが、その際、プリアンブルデータの送信シンボルとメツセージデータの送信シンボルとをフレーム内に交互に配置するようになされている。すなわち交互に配置されている送信シンボルを１つおきに集めるとプリアンブルデータであるプリアンブルフイールドとなり、残りの送信シンボルを集めるとメツセージデータである情報フイールドとなる。
【００８３】
この場合、情報フイールドには、基地局に対する制御内容を示したメツセージデータから生成された送信シンボルと、当該メツセージデータに対して付加されるエラー検出及び訂正用ビツトから生成された送信シンボルとが格納される。これに対してプリアンブルフイールドには、メツセージデータの存在を示すためのプリアンブルデータから生成された送信シンボルが格納される。
【００８４】
因みに、このプリアンブルデータは基地局毎に設定された固有データであり、移動局である携帯電話機は通信を行いたい基地局の固有データをプリアンブルデータとして用いるようになされている。なお、１つの基地局に関しても、この固有データはメツセージデータの属性（種類等）に応じて複数用意されており、携帯電話機は基地局に対して送信するメツセージデータの属性に合つた固有データをプリアンブルデータとして採用するようになされている。従つて受信側である基地局では、プリアンブルデータを検出することによつてメツセージデータの存在を検出し得るばかりでなく、メツセージデータの属性も認識することができる。
【００８５】
かくして本発明を適用した携帯電話システムでは、例えば携帯電話機から発呼を開始する場合、このように構成される制御データをランダムアクセスチヤネルを介して基地局に送信する。
【００８６】
（２−３）ランダムアクセスチヤネルの構成
ここでこの携帯電話システムのランダムアクセスチヤネルの構成を図８に示す。この携帯電話システムも第１の実施の形態と同様にマルチキヤリア通信を行うようになされており、ランダムアクセスチヤネルとしても複数のサブキヤリアを有している。具体的には、図８に示すように、周波数軸上に等間隔で配置された例えば24本のサブキヤリアＣ０〜Ｃ２３によつてランダムアクセスチヤネルを構成し、これら24本のサブキヤリアＣ０〜Ｃ２３のうち両端にあるガードキヤリアとしてのサブキヤリアＣ０、Ｃ２３を除く22本のサブキヤリアＣ１〜Ｃ２２を使用して上述した制御データの送信シンボルを送信するようになされている。
【００８７】
この携帯電話システムでは、制御データの送信シンボルをこの図８に示す複数のサブキヤリアＣ１〜Ｃ２２に順に１つずつ割り当てるようになされている。このため奇数番目のサブキヤリアＣ１、Ｃ３、Ｃ５、Ｃ７、Ｃ９、Ｃ１１、Ｃ１３、Ｃ１５、Ｃ１７、Ｃ１９、Ｃ２１がプリアンブルデータの送信シンボルに用いられ、偶数番目のサブキヤリアＣ２、Ｃ４、Ｃ６、Ｃ８、Ｃ１０、Ｃ１２、Ｃ１４、Ｃ１６、Ｃ１８、Ｃ２０、Ｃ２２がメツセージデータの送信シンボルに用いられることになる。
【００８８】
因みに、プリアンブルデータの送信シンボルはそれぞれそのままサブキヤリアＣ１、Ｃ３、Ｃ５、Ｃ７、Ｃ９、Ｃ１１、Ｃ１３、Ｃ１５、Ｃ１７、Ｃ１９、Ｃ２１に割り当てられるのに対して、メツセージデータの送信シンボルは１つ前のプリアンブルデータの送信シンボルとの差動位相を取つてこれをサブキヤリアＣ２、Ｃ４、Ｃ６、Ｃ８、Ｃ１０、Ｃ１２、Ｃ１４、Ｃ１６、Ｃ１８、Ｃ２０、Ｃ２２に割り当てるようになされている。すなわちメツセージデータの送信シンボルはそれぞれＤＱＰＳＫ変調処理が施されてサブキヤリアＣ２、Ｃ４、Ｃ６、Ｃ８、Ｃ１０、Ｃ１２、Ｃ１４、Ｃ１６、Ｃ１８、Ｃ２０、Ｃ２２に割り当てられるようになされている。
【００８９】
（２−４）送信装置の構成
ここでこのようなランダムアクセスチヤネルを介して制御データを送信する送信装置を説明する。図３との対応部分に同一符号を付して示す図９において、８０は全体としてランダムアクセスチヤネルを介して制御データを送信する送信装置を示す。この送信装置８０は携帯電話機に設けられ、基地局に対して送信する制御データをランダムアクセスチヤネルを介して送信するようになされている。この送信装置８０においては、まず制御データを構成するプリアンブルデータＤＰ２を第１の選択スイツチ４４の第１の入力端に入力するようになされている。なお、このプリアンブルデータＤＰ２は、この携帯電話機が通信したい基地局の固有データであつて次に説明するメツセージデータＤＭ３の属性に合つたデータをシンボル化したものである。
【００９０】
一方、制御データを構成するメツセージデータＤＭ３はエラー訂正ビツト付加回路４２に入力される。エラー訂正ビツト付加回路４２は、入力されるメツセージデータＤＭ３の情報ビツトに基づいてエラー検出及び訂正用ビツトを算出し、これを当該メツセージデータＤＭ３に付加することによりエラー訂正のための処理が施されたビツトストリームＤ４０を生成し、これを後段のＱＰＳＫ変調回路４５に出力する。ＱＰＳＫ変調回路４５は、入力されるビツトストリームＤ４０に対して順にＱＰＳＫ変調処理を施すことによりシンボルストリームＤ４１を生成し、これを後段の第１の選択スイツチ４４の第２の入力端に出力する。
【００９１】
第１の選択スイツチ４４は、入力端との接続状態を交互に切り換えることにより第１の入力端に供給されるプリアンブルデータＤＰ２のシンボルと第２の入力端に供給されるメツセージデータＤＭ３に関するシンボルストリームＤ４１のシンボルとを交互に選択し、これにより図７に示したようなプリアンブルデータＤＰ２のシンボルとメツセージデータＤＭ３のシンボルとが交互に並ぶシンボルストリームＤ４２を生成し、これを第２の選択スイツチ４６の第１の入力端及び差動変調回路４７を構成する遅延回路４７Ａと乗算器４７Ｂに出力する。
【００９２】
差動変調回路４７においては、現在入力されるシンボルと、遅延回路４７Ａを介して得られる１シンボル前のシンボルとを乗算器４７Ｂによつて乗算することにより現在入力されたシンボルに差動変調を施し、これを順に繰り返して行くことにより差動シンボルストリームＤ４３を生成し、これを第２の選択スイツチ４６の第２の入力端に出力する。
【００９３】
第２の選択スイツチ４６は、シンボルストリームＤ４２が奇数番目のシンボルのときに第１の入力端と接続することによりシンボルストリームＤ４２のうちの奇数番目のシンボルを選択し、差動シンボルストリームＤ４３が偶数番目のシンボルのときに第２の入力端と接続することにより差動シンボルストリームＤ４３のうちの偶数番目のシンボルを選択し、その結果生成されるシンボルストリームＤ４４を後段の逆高速フーリエ変換回路（ＩＦＦＴ）４８に出力する。この場合、シンボルストリームＤ４２及び差動シンボルストリームＤ４３の奇数番目はプリアンブルデータＤＰ２のシンボルであり、偶数番目はメツセージデータＤＭ３のシンボルである。従つて第２の選択スイツチ４６によりシンボルストリームＤ４２と差動シンボルストリームＤ４３とを交互に選択すれば、プリアンブルデータＤＰ２のシンボルと差動変調されたメツセージデータＤＭ３のシンボルとが交互に並んだシンボルストリームＤ４４が得られる。因みに、差動変調する際には、１つ前のシンボルとの差動変調を行つているので、メツセージデータＤＭ３のシンボルにはプリアンブルデータＤＰ２のシンボルを基準とした差動変調が行われていることになる。
【００９４】
逆高速フーリエ変換回路４８は、シンボルストリームＤ４４に対して逆高速フーリエ変換処理を施すことにより時間軸上で並んでいるシンボルを周波数軸上に並べたような信号を生成する。すなわち逆高速フーリエ変換回路４８は、シンボルストリームＤ４４の各シンボルをそれぞれサブキヤリアＣ１〜Ｃ２２に順に割り当てる処理を行う。この逆高速フーリエ変換回路４８の処理により生成された送信シンボルストリームＤ４５は続く送信回路４９に入力される。
【００９５】
送信回路４９は、送信シンボルストリームＤ４５に対して窓かけ処理いわゆるウインドウ処理を施した後にフイルタリング処理を施し、さらにデイジタル／アナログ変換処理を施すことにより送信信号を生成する。そして送信回路４９はその送信信号に周波数変換処理を施すことによりランダムアクセスチヤネルの送信信号Ｓ３０を生成し、これをアンテナ５０を介して送信する。かくしてプリアンブルデータＤＰ２とメツセージデータＤＭ３がサブキヤリアＣ１〜Ｃ２２に対して交互に重畳されたような送信信号Ｓ３０が送信装置８０から送信される。
【００９６】
（２−５）受信装置の構成
続いて上述したようにランダムアクセスチヤネルを介して送信された送信信号Ｓ３０を受信する受信装置を説明する。図４との対応部分に同一符号を付して示す図１０において、９０は全体としてランダムアクセスチヤネルを介して送信された送信信号Ｓ３０を受信する受信装置を示す。この受信装置９０は、基地局に搭載され、上述したように携帯電話機からの制御データである送信信号Ｓ３０を受信するものである。
【００９７】
まずこの受信装置９０においては、送信装置８０から送信された送信信号Ｓ３０をアンテナ６１によつて受け、これを受信信号Ｓ３１として受信回路６２に入力するようになされている。受信回路６２は、受信信号Ｓ３１に対してフイルタリング処理を施した後、当該受信信号Ｓ３１に対して周波数変換処理を施すことによりベースバンド信号を取り出す。そして受信回路６２は、このベースバンド信号に対してアナログ／デイジタル変換処理を施すことにより受信シンボルストリームを得、この受信シンボルストリームに対して１変調時間分の窓かけ処理を施すと共に、１変調時間分の信号電力の合計値（又は振幅の合計値）で各シンボルを正規化し、その結果得られる受信シンボルストリームＤ５０を第１及び第２の復調部９１、９２に出力する。因みに、この受信シンボルストリームＤ５０はフーリエ変換処理前のシンボルストリームであるので、各シンボルが周波数軸上に並んでいるシンボルストリームである。
【００９８】
第１の復調部９１はプリアンブルデータ検出のための復調部であり、受信シンボルストリームＤ５０をそれぞれ内部の時間遅延回路６５及び加算器６６に入力するようになされている。時間遅延回路６５は、受信回路６２によつて受信した１変調時間分の受信シンボルストリームＤ５０を、第１の実施の形態と同様に、１変調時間Ｔの半分の時間Ｔ／２だけ遅延し、その結果得られる受信シンボルストリームＤ５１を加算器６６に出力する。
【００９９】
加算器６６は、受信シンボルストリームＤ５１の供給が開始されてから時間Ｔ／２の間だけ、受信シンボルストリームＤ５０と受信シンボルストリームＤ５１の加算処理を行うことにより、受信シンボルストリームＤ５０の後半部と受信シンボルストリームＤ５１の前半部を加算したシンボルストリームＤ５２を生成し、これを相関算出回路９３に出力する。
【０１００】
因みに、このような加算処理を行うことにより、第１の実施の形態と同様に、プリアンブルデータが重畳された奇数番目のサブキヤリアＣ１、Ｃ３、Ｃ５、Ｃ７、Ｃ９、Ｃ１１、Ｃ１３、Ｃ１５、Ｃ１７、Ｃ１９、Ｃ２１の信号成分のみからなるシンボルストリームＤ５２を得ることができる。
【０１０１】
リフアレンス記憶回路９４には、基地局毎に固有となつているプリアンブルデータのシンボルを周波数軸上に並べたようなリフアレンス・シンボルストリームと、そのプリアンブルデータの属性情報がそれぞれ複数格納されている。
【０１０２】
相関算出回路９３は、このリフアレンス・シンボルストリームＤ５３をリフアレンス記憶回路９４から順に読み出し、そのリフアレンス・シンボルストリームＤ５３と入力されるシンボルストリームＤ５２との相関値を算出し、相関値が所定の閾値を越えた場合、プリアンブルデータを受信したと判断して（すなわちメツセージデータが存在すると判断して）、メツセージデータの復調処理開始を示す制御信号Ｓ３２を第２の復調部９２に出力する。またこのとき相関算出回路９３は、相関値が閾値を越えたリフアレンス・シンボルストリームＤ５３を基にプリアンブルデータの属性情報をリフアレンス記憶回路９４から読み出し、これを基地局全体の動作を制御する制御回路（図示せず）に出力する。これにより制御回路は、メツセージデータを復調する前にそのメツセージデータの属性を確認することができ、メツセージデータに備えた準備を行うことができる。因みに、相関検出の際、閾値を越える相関値が複数存在した場合には、相関算出回路９３は、最も相関値が大きいリフアレンス・シンボルストリームを基にメツセージデータの属性情報を読み出すようになされている。
【０１０３】
このようにして第１の復調部９１においては、受信シンボルストリームＤ５０を１変調時間Ｔの半分の時間Ｔ／２だけ遅延し、これを当該受信シンボルストリームＤ５０に加算することによりプリアンブルデータの信号成分だけからなるシンボルストリームＤ５２を生成し、このシンボルストリームＤ５２とリフアレンス・シンボルストリームＤ５３との相関値を算出することにより、プリアンブルデータを受信したか否かを検出するようになされている。これにより第１の復調部９１では、周波数軸上にプリアンブルデータの信号成分とメツセージデータの信号成分が並んでいるような場合でも、そのような受信シンボルストリームＤ５０からプリアンブルデータの信号成分のみを抽出して速やかにプリアンブルデータの検出処理を行うことができる。
【０１０４】
なお、制御データは自局に割り当てられたタイミングに合わせて送信するようになされているが、セルサイズが大きいために伝搬遅延が生じて制御データが非同期で到着する場合には、第１の復調部９１はこのような処理を微少時間毎に繰り返し行うことによりプリアンブルデータの検出を行う。またセルサイズが小さいために制御データが周期的に到着する場合には、第１の復調部９１はこのような処理をその到着タイミングに合わせて行うことによりプリアンブルデータの検出を行う。
【０１０５】
一方、第２の復調部９２はメツセージデータを復調するための復調部であり、受信シンボルストリームＤ５０をまずバツフア９５に入力するようになされている。このバツフア９５は、第１の復調部９１の相関算出回路９３から制御信号Ｓ３２を受けると（すなわち第１の復調部９１によつてプリアンブルデータの存在及び属性が確認されると）、蓄積した受信シンボルストリームＤ５０を順次読み出してこれを高速フーリエ変換回路（ＦＦＴ）７０に出力し、メツセージデータの復調処理を開始する。因みに、このバツフア９５は、相関算出回路９３から制御信号Ｓ３２を受けなかつたときには、プリアンブルデータが検出されていないものとして受信シンボルストリームＤ５０の出力処理を行わず、メツセージデータの復調処理を開始しない。
【０１０６】
高速フーリエ変換回路７０は、バツフア９５から出力される受信シンボルストリームＤ５０を受け、当該受信シンボルストリームＤ５０に対して高速フーリエ変換処理を施すことにより周波数軸上に並んでいるシンボルを時間軸上に並べたような信号を生成する。すなわち高速フーリエ変換回路７０は、各サブキヤリアに重畳されているシンボルを取り出し、これを時間軸上に並べたシンボルストリームＤ５５を生成する。この高速フーリエ変換回路７０の処理により生成されたシンボルストリームＤ５５は続くＤＱＰＳＫ復調回路７１に入力される。
【０１０７】
ＤＱＰＳＫ復調回路７１においては、シンボルストリームＤ５５を遅延回路７１Ａ及び乗算器７１Ｂにそれぞれ入力するようになされている。乗算器７１Ｂは、現在入力される受信シンボルと、遅延回路７１Ａを介して供給される１シンボル前の受信シンボルの共役値とを乗算することによりシンボルストリームＤ５５に対して差動復調処理を行う。因みに、この処理により得られるシンボルストリームＤ５６はＱＰＳＫ変調された状態のシンボルストリームである。
【０１０８】
選択スイツチ７２は、このシンボルストリームＤ５６を入力端に受け、当該シンボルストリームＤ５６が偶数番目のシンボルのときオン状態になることによりシンボルストリームＤ５６のうちの偶数晩目のシンボルのみを抽出する。この場合、シンボルストリームＤ５６の偶数番目のシンボルは、メツセージデータに対応したシンボルであるので、この選択スイツチ７２の処理により得られるシンボルストリームＤ５７はメツセージデータに対応したシンボルのみからなつているシンボルストリームであり、送信装置８０のＱＰＳＫ変調回路４５から出力されたシンボルストリームＤ４１に対応したものである。
【０１０９】
エラー検出及び訂正回路７３は、このシンボルストリームＤ５７を受け、当該シンボルストリームＤ５７からメツセージデータのビツトストリームを取り出し、このビツトストリームに含まれるエラー検出及び訂正用ビツトを基にメツセージデータを構成する情報ビツトの誤りを検出すると共にその誤りを訂正し、その結果得られた情報ビツトをメツセージデータのビツトストリームＤＭ４として基地局全体の動作を制御する制御回路（図示せず）に出力する。これにより制御回路はメツセージデータを受信したことを把握し得、そのメツセージデータに応じた通信シーケンスを制御し得る。
【０１１０】
このようにして第２の復調部９２においては、プリアンブルデータが検出された場合に受信シンボルストリームＤ５０に対して高速フーリエ変換処理を施すことによりシンボルが時間軸上に並んだシンボルストリームＤ５５を得、このシンボルストリームＤ５５に対して差動復調処理を施した後、メツセージデータに対応するシンボルストリームＤ５７を抽出してこれから情報ビツトを取り出すことにより、メツセージデータを復元するようになされている。
【０１１１】
（２−６）動作及び効果
以上の構成において、この携帯電話システムの場合には、送信装置８０において、プリアンブルデータＤＰ２のシンボルとメツセージデータＤＭ３から生成したシンボルとを交互に選択して行くことにより、図７に示したようなプリアンブルデータのシンボルとメツセージデータのシンボルが交互に並ぶようなシンボルストリームＤ４４を生成する。そしてこのシンボルストリームＤ４４に逆高速フーリエ変換処理を施すことにより、複数のサブキヤリアＣ１〜Ｃ２２に対してシンボルを１つずつ割り当てる。この場合、シンボルストリームＤ４４においてプリアンブルデータＤＰ２のシンボルとメツセージデータＤＭ３のシンボルが交互に配置されていることにより、周波数軸上でも、プリアンブルデータＤＰ２のシンボルとメツセージデータＤＭ３のシンボルが交互に配置されることになる。このようにして生成された送信シンボルストリームＤ４５は、所定の送信処理が施された後、送信信号Ｓ３０としてアンテナ５０を介して送信される。
【０１１２】
一方、受信装置９０においては、送信装置８０から送信された送信信号Ｓ３０をアンテナ６１で受信し、これに所定の受信処理を施すことにより受信シンボルストリームＤ５０を得る。受信装置８０においては、まずこの受信シンボルストリームＤ５０を１変調時間Ｔの半分の時間Ｔ／２だけ遅延して受信シンボルストリームＤ５１を生成し、この受信シンボルストリームＤ５１と原信号である受信シンボルストリームＤ５０とを加算処理することによりプリアンブルデータＤＰ２のシンボルが重畳された奇数番目のサブキヤリアＣ１、Ｃ３、Ｃ５、Ｃ７、Ｃ９、Ｃ１１、Ｃ１３、Ｃ１５、Ｃ１７、Ｃ１９、Ｃ２１の信号成分のみからなるシンボルストリームＤ５２を生成する。
【０１１３】
かくしてこのシンボルストリームＤ５２とリフアレンス・シンボルストリームＤ５３とを使用して相関値を検出し、その相関値が所定の閾値を越えている場合には、プリアンブルデータＤＰ２を受信したと判断し、第２の復調部９２に対して制御信号Ｓ３２を出力することにより当該第２の復調部９２にメツセージデータＤＭ３の復調処理開始を指示する。これによりこの受信装置９０では、プリアンブルデータＤＰ２を検出した場合に限つてはじめてメツセージデータＤＭ３の復調処理を行うことになり、プリアンブルデータＤＰ２の検出処理とメツセージデータＤＭ３の復調処理を単に並行に行う場合に比して、受信装置における処理を低減することができる。
【０１１４】
また相関値が閾値を越えたリフアレンス・シンボルストリームＤ５３に基づいてメツセージデータＤＭ３の属性を判断し、その属性情報Ｄ５４を基地局全体の動作を制御する制御回路に出力する。これにより制御回路は、メツセージデータＤＭ３の復調処理前に当該メツセージデータＤＭ３の属性を確認することができる。因みに、プリアンブルデータＤＰ２によつてメツセージデータＤＭ３の属性を事前に把握し得ることから、この携帯電話システムでは、メツセージデータの重要性やメツセージデータのフオーマツト或いは変調方式や符号化方式等を容易に変更し得、柔軟なメツセージデータの送受信を行うことができる。
【０１１５】
このようにしてこの携帯電話システムでは、プリアンブルデータＤＰ２のシンボルとメツセージデータＤＭ３のシンボルとを交互に配置し、これを複数のサブキヤリアＣ１〜Ｃ２２に順に割り当てることにより、プリアンブルデータＤＰ２が重畳されたサブキヤリアとメツセージデータＤＭ３が重畳されたサブキヤリアを周波数軸上に交互に配置した送信信号Ｓ３０を生成してこれを送信し、受信側では、その送信信号Ｓ３０（すなわち受信信号Ｓ３１）に対して所定の受信処理を施すことによつて各シンボルが周波数軸上に並んでいる受信シンボルストリームＤ５０を得、この受信シンボルストリームＤ５０を１変調時間の半分の時間Ｔ／２だけ遅延して受信シンボルストリームＤ５１を生成し、これを原信号の受信シンボルストリームＤ５０に加算処理することによりプリアンブルデータＤＰ２の信号成分のみからなるシンボルストリームＤ５２を生成し、これに相関値検出を施してプリアンブルデータＤＰ２の検出を行う。これによりこの携帯電話システムの場合には、マルチキヤリア通信によつてプリアンブルデータＤＰ２及びメツセージデータＤＭ３からなる制御データを１変調時間で同時に送信したとしても、高精度なフイルタ回路を用いなくても簡易な構成で、プリアンブルデータＤＰ２の信号成分のみを速やかに抽出して当該プリアンブルデータＤＰ２を速やかに検出することができる。
【０１１６】
一方、メツセージデータＤＭ３に関しては、受信シンボルストリームＤ５０に対して高速フーリエ変換処理を施すことによつてシンボルが時間軸上に並ぶシンボルストリームＤ５５を生成し、このシンボルストリームＤ５５のうちの偶数番目のシンボルを抽出することによりメツセージデータＤＭ３のシンボルのみからなるシンボルストリームＤ５７を生成する。そしてこのシンボルストリームＤ５７からビツトストリームを取り出し、そのビツトストリームにエラー検出及びエラー訂正処理を施すことによりメツセージデータＤＭ３のビツトストリームＤＭ４を復元する。
【０１１７】
このようにしてメツセージデータＤＭ３に関しては、高速フーリエ変換処理を行うことにより周波数軸から時間軸への信号変換処理を行つた後、時間的な分離処理によつてメツセージデータＤＭ３のシンボルのみからなるシンボルストリームＤ５７を生成し、これに復調処理及びエラー訂正処理を施してメツセージデータＤＭ３のビツトストリームＤＭ４を復元するようにしたことにより、メツセージデータＤＭ３を確実に復元することができる。
【０１１８】
以上の構成によれば、送信側では、プリアンブルデータＤＰ２が重畳されたサブキヤリアとメツセージデータＤＭ３が重畳されたサブキヤリアを周波数軸上に交互に配置して送信信号Ｓ３０を生成してこれを送信することにより１変調時間でプリアンブルデータＤＰ２とメツセージデータＤＭ３を同時に送信し、受信側では、所定の受信処理を介して得た受信シンボルストリームＤ５０を所定時間だけ遅延して当該受信シンボルストリームＤ５０に加算することによりプリアンブルデータＤＰ２に関する信号成分だけを含むシンボルストリームＤ５２を生成し、これに相関値検出によるプリアンブルデータＤＰ２の検出処理を行うようにしたことにより、複数のサブキヤリアＣ１〜Ｃ２２を使用して１変調時間でプリアンブルデータＤＰ２とメツセージデータＤＭ３を同時に送信した場合でも、簡易な構成でプリアンブルデータＤＰ２を速やかに検出し得、かくしてマルチキヤリア方式でプリアンブルデータＤＰ２とメツセージデータＤＭ３を同時に送信した場合でも、優先度に応じた処理を簡易な構成で行うことができる。
【０１１９】
（３）他の実施の形態
なお上述の第１の実施の形態においては、優先度の高いデータを重畳するサブキヤリア数と優先度の低いデータを重畳するサブキヤリア数を同じにして１回の送信で送信されるデータ量を同じにした場合について述べたが、本発明はこれに限らず、優先度の高いデータの出現回数を１／２N に減らすことにより優先度の低いデータのサブキヤリア数に比して優先度の高いデータのサブキヤリア数を減らし、これによつて１回の送信で優先度の低いデータをより多く送信するようにしても良い。
【０１２０】
例えば図１１に示すように、優先度の高いデータの出現回数を１／４にすることにより優先度の高いデータが４回に１度現れるようにする。従つてこの場合には、優先度の高いデータが重畳されるサブキヤリア数は全体のサブキヤリア数の１／４となり、優先度の低いデータが重畳されるサブキヤリア数は全体のサブキヤリア数の３／４となり、サブキヤリア数比は１対３となる。
【０１２１】
ここでサブキヤリア数比をこのように設定した場合の送信装置と受信装置を図１２及び図１３を用いて説明する。但し、以降の説明では、優先度の高いデータと優先度の低いデータのサブキヤリア数比を１対３とすることから、サブキヤリアＣ１〜Ｃ２０を使用してデータ通信するものとする。図３との対応部分に同一符号を付して示す図１２において、１００は全体としてサブキヤリア数比を変更した送信装置を示し、第１及び第２の選択スイツチ１０１、１０２を除いて図３に示した送信装置４０とほぼ同様に構成される。この送信装置１００が送信装置４０と大きく異なる点は第１及び第２の選択スイツチ１０１、１０２の選択動作のタイミングが異なることである。すなわちこの例の場合には、優先度の高いデータの出現回数を１／４にすることから、第１の選択スイツチ１０１は４回に１回の割合で優先度の高いデータに対応した送信シンボルＤ２１を選択し、それ以外のタイミングでは優先度の低いデータに対応した送信シンボルＤ２３を選択する。同様に、第２の選択スイツチ１０２は４回に１回の割合でシンボルストリームＤ６０を選択し、それ以外のタイミングでは差動シンボルストリームＤ６１を選択する。これによりこの送信装置１００では、図１１に示したようなフレーム構成のシンボルストリームＤ６２を生成し、これに所定の送信処理を施して送信信号Ｓ４０として送信する。
【０１２２】
一方、図４との対応部分に同一符号を付して示す図１３において、１１０は全体としてサブキヤリア数比を変更して送信された送信信号Ｓ４０を受信する受信装置を示し、第１の復調部１１１の構成が変更されていること及び第２の復調部１１２の選択スイツチ１１６の選択動作のタイミングが変更されたことを除いて図４に示した受信装置６０と同様に構成される。この場合、第１の復調部１１１においては、第１の時間遅延回路６５及び第１の加算器６６に加えて第２の時間遅延回路１１３及び第２の加算器１１４が追加されており、遅延したシンボルストリームの加算処理が２段階となるようになされている。
【０１２３】
すなわち第１の復調部１１１においては、遅延した受信シンボルストリームＤ３１と原信号である受信シンボルストリームＤ３０の加算処理により奇数番目のサブキヤリアＣ１、Ｃ３、Ｃ５、Ｃ７、Ｃ９、Ｃ１１、Ｃ１３、Ｃ１５、Ｃ１７、Ｃ１９の信号成分のみからなるシンボルストリームＤ３２を生成し、これを第２の時間遅延回路１１３及び第２の加算器１１４に入力する。第２の時間遅延回路１１３は、シンボルストリームＤ３２を１変調時間Ｔの１／４の時間Ｔ／４だけ遅延し、その結果得られるシンボルストリームＤ７０を加算器１１４に出力する。加算器１１４はこの遅延したシンボルストリームＤ７０が供給されてから時間Ｔ／４の間だけ、当該シンボルストリームＤ７０と原信号であるシンボルストリームＤ３２とを加算処理することによりサブキヤリアＣ１、Ｃ５、Ｃ９、Ｃ１３、Ｃ１７の信号成分のみからなるシンボルストリームＤ７１を生成し、これを相関算出回路６７に出力する。
【０１２４】
かくして相関算出回路６７においては、リフアレンス記憶回路１１５に記憶されているリフアレンス・シンボルストリームＤ７２を順に読み出してこのシンボルストリームＤ７１との相関値を算出し、最も相関値が高いリフアレンス・シンボルストリームＤ７２に基づいて情報ビツトストリームＤ７３を読み出して出力することにより、優先度の高いデータＤＨ４を容易に復元することができる。
【０１２５】
これに対して第２の復調部１１２においては、差動復調回路７１から出力されるシンボルストリームＤ７５のうち１番目、５番目、９番目、１３番目及び１７番目が優先度の高いデータのシンボルであり、それ以外が優先度の低いデータのシンボルであるので、選択スイツチ１１６によつて２〜４番目、６〜８番目、１０〜１２番目、１４〜１６番目及び１８〜２０番目のシンボルを選択するようにすれば、優先度の低いデータのシンボルのみからなるシンボルストリームＤ７６を得ることができる。かくしてエラー検出及び訂正回路７３において、このシンボルストリームＤ７６から情報ビツトを抽出してエラー訂正処理を行えば、優先度の低いデータＤＬ４を容易に復元することができる。
【０１２６】
なお、優先度の高いデータの出現回数を１／２N にする場合には、その次数Ｎの分だけ時間遅延回路及び加算器を設け、遅延したシンボルストリームとの加算処理をＮ段で行うようにすれば良い。
【０１２７】
また上述の第２の実施の形態においては、携帯電話システムのランダムアクセスチヤネルにおいてプリアンブルデータとメツセージデータからなる制御データを送信する場合に本発明を適用したが、本発明はこれに限らず、携帯電話システムの初期補足チヤネルにおいてプリアンブルデータ及びメツセージデータからなる情報データを送信する場合に本発明を適用するようにしても良い。なお、この初期補足チヤネルとは、携帯電話システムのシステム情報が流れている制御チヤネル（ＢＣＣＨ）を受信するために必要な情報が流れている制御チヤネルであり、例えば携帯電話機の電源投入時には、まず基地局が送信するこの初期補足チヤネルを受信することにより制御チヤネル（ＢＣＣＨ）に関する情報データを得、この情報データを基に制御チヤネル（ＢＣＣＨ）を受信してその後の位置登録のための処理を行うようになされている。要は、情報入手を速やかに行いたいようなチヤネルであれば、本発明を適用することによりプリアンブルデータを速やかに検出し得るので、上述の場合と同様の効果を得ることができる。
【０１２８】
また上述の第１の実施の形態においては、優先度の高いデータに対してエラー検出及び訂正用ビツトを付加しない場合について述べたが、本発明はこれに限らず、優先度の高いデータを数フレーム分集めてこれにエラー検出及び訂正用ビツトを付加するようにしても良い。
【０１２９】
また上述の第１の実施の形態においては、優先度の低いデータに対してエラー検出及び訂正用ビツトを付加した場合について述べたが、本発明はこれに限らず、エラーが生じないようであれば、このエラー検出及び訂正用ビツトを付加しないようにしても良い。
【０１３０】
また上述の実施の形態においては、変調方式としてＱＰＳＫ変調を用いた場合について述べたが、本発明はこれに限らず、ＢＰＳＫ（Binary Phase Shift Keying ：２相位相変調）や16ＱＡＭ（16-Quadrature Amplitude Modulation：16値直交振幅変調）等、位相や振幅に情報成分を載せるような変調方式であれば種々の変調方式を適用することが可能である。
【０１３１】
また上述の実施の形態においては、優先度の低いデータやメツセージデータに差動変調を施した場合について述べたが、本発明はこれに限らず、優先度の高いデータやプリアンブルデータと同様に差動変調を行わないようにしても良い。
【０１３２】
また上述の実施の形態においては、マルチキヤリア通信に用いるサブキヤリア数を24本とした場合について述べたが、本発明はこれに限らず、サブキヤリア数としてその他の本数であつても良い。
【０１３３】
また上述の実施の形態においては、エンコーダ４１、エラー訂正ビツト付加回路４２、ＱＰＳＫ変調回路４３、４５、逆高速フーリエ変換回路４８及び送信回路４９等を設けることにより、優先度の高いデータＤＨ３が重畳されたサブキヤリアと優先度の低いデータＤＬ３が重畳されたサブキヤリアとを交互に配置して送信した場合について述べたが、本発明はこれに限らず、複数のサブキヤリアを使用して優先度の高いデータと優先度の低いデータを同時に送信する送信装置において、優先度の高いデータが重畳されたサブキヤリアと優先度の低いデータが重畳されたサブキヤリアとを交互に配置してなる送信信号を送信する送信手段を設けるようにしても、上述の場合と同様の効果を得ることができる。
【０１３４】
また上述の実施の形態においては、受信回路６２、第１及び第２の復調部６３、６４を設けて、送信装置４０から送信された送信信号Ｓ２１を受信して優先度の高いデータＤＨ４と優先度の低いデータＤＬ４を復元した場合について述べたが、本発明はこれに限らず、複数のサブキヤリアを使用して優先度の高いデータと優先度の低いデータを同時に送信するようになされた送信装置からの送信信号を受信する受信装置において、優先度の高いデータが重畳されたサブキヤリアと優先度の低いデータが重畳されたサブキヤリアとが交互に配置された送信信号に対して所定の受信処理を施すことにより周波数軸上にシンボルが並ぶ受信シンボルストリームを得る受信手段と、受信シンボルストリームに当該受信シンボルストリームを所定時間遅延した遅延シンボルストリームを加算することにより優先度の高いデータに関する信号成分を抽出して当該優先度の高いデータを復元する第１の復調手段と、受信シンボルストリームにフーリエ変換処理を施すことによつて時間軸上にシンボルが並ぶシンボルストリームを得、当該シンボルストリームから優先度の低いデータのシンボルを抽出して当該優先度の低いデータを復元する第２の復調手段とを設けるようにしても、上述の場合と同様の効果を得ることができる。
【０１３５】
要は、優先度の高いデータが重畳されたサブキヤリアと優先度の低いデータが重畳されたサブキヤリアとを交互に配置してなる送信信号を送信し、受信側では、送信信号に対して所定の受信処理を施すことによつて周波数軸上にシンボルが並ぶ受信シンボルストリームを得、受信シンボルストリームに当該受信シンボルストリームを所定時間遅延した遅延シンボルストリームを加算することにより優先度の高いデータに関する信号成分を抽出して当該優先度の高いデータを復元すると共に、受信シンボルストリームにフーリエ変換処理を施すことによつて時間軸上にシンボルが並ぶシンボルストリームを得、当該シンボルストリームから優先度の低いデータのシンボルを抽出して当該優先度の低いデータを復元するようにすれば、上述の場合と同様の効果を得ることができる。
【０１３６】
また上述の実施の形態においては、携帯電話システムに本発明を適用した場合について述べたが、本発明はこれに限らず、自動車電話システム等、その他のセルラー無線通信システムに本発明を適用しても上述の場合と同様の効果を得ることができる。要は、所定のエリアを所望の大きさのセルに分割して当該セル毎に基地局を設置し、移動局は自局が存在するセル内の基地局と無線通信するようになされたセルラー無線通信システムにおいて、移動局は、メツセージデータが重畳されたサブキヤリアとメツセージデータの存在及び属性を示すプリアンブルデータが重畳されたサブキヤリアとを交互に配置してなる送信信号をランダムアクセスチヤネルを介して送信し、基地局は、送信信号に対して所定の受信処理を施すことによつて周波数軸上にシンボルが並ぶ受信シンボルストリームを得、受信シンボルストリームに当該受信シンボルストリームを所定時間遅延した遅延シンボルストリームを加算することによりプリアンブルデータに関する信号成分を抽出し、当該信号成分を基にプリアンブルデータを検出し、プリアンブルデータの検出によりメツセージデータの存在及び属性を確認した後、受信シンボルストリームにフーリエ変換処理を施すことによつて時間軸上にシンボルが並ぶシンボルストリームを得、当該シンボルストリームからメツセージデータのシンボルを抽出して当該メツセージデータを復元するようにすれば、上述の場合と同様の効果を得ることができる。
【０１３７】
また所定のエリアを所望の大きさのセルに分割して当該セル毎に基地局を設置し、移動局は自局が存在するセル内の基地局と無線通信するようになされたセルラー無線通信システムにおいて、基地局は、メツセージデータが重畳されたサブキヤリアとメツセージデータの存在及び属性を示すプリアンブルデータが重畳されたサブキヤリアとを交互に配置してなる送信信号を初期補足チヤネルを介して送信し、移動局は、送信信号に対して所定の受信処理を施すことによつて周波数軸上にシンボルが並ぶ受信シンボルストリームを得、受信シンボルストリームに当該受信シンボルストリームを所定時間遅延した遅延シンボルストリームを加算することによりプリアンブルデータに関する信号成分を抽出し、当該信号成分を基にプリアンブルデータを検出し、プリアンブルデータの検出によりメツセージデータの存在及び属性を確認した後、受信シンボルストリームにフーリエ変換処理を施すことによつて時間軸上にシンボルが並ぶシンボルストリームを得、当該シンボルストリームからメツセージデータのシンボルを抽出して当該メツセージデータを復元するようにすれば、上述の場合と同様の効果を得ることができる。
【０１３８】
【発明の効果】
上述のように本発明によれば、優先度の高いデータが重畳されたサブキヤリアと優先度の低いデータが重畳されたサブキヤリアとを交互に配置して送信し、受信側では、所定の受信処理によつて周波数軸上にシンボルが並ぶ受信シンボルストリームを得、受信シンボルストリームに当該受信シンボルストリームを所定時間遅延した遅延シンボルストリームを加算することにより優先度の高いデータに関する信号成分を抽出して当該優先度の高いデータを復元するようにしたことにより、簡易な構成で優先度の高いデータを速やかに復元し得、かくしてマルチキヤリア方式で優先度の高いデータと優先度の低いデータを同時に送信した場合でも、優先度に応じた処理を簡易な構成で行い得る。
【０１３９】
またセルラー無線通信システムにおいてメツセージデータが重畳されたサブキヤリアとメツセージデータの存在及び属性を示すプリアンブルデータが重畳されたサブキヤリアとを交互に配置して送信し、受信側では、所定の受信処理によつて周波数軸上にシンボルが並ぶ受信シンボルストリームを得、受信シンボルストリームに当該受信シンボルストリームを所定時間遅延した遅延シンボルストリームを加算することによりプリアンブルデータに関する信号成分を抽出し、当該信号成分を基にプリアンブルデータを検出し、プリアンブルデータの検出によりメツセージデータの存在及び属性を確認した後、受信シンボルストリームにフーリエ変換処理を施すことによつて時間軸上にシンボルが並ぶシンボルストリームを得、当該シンボルストリームからメツセージデータのシンボルを抽出して当該メツセージデータを復元するようにしたことにより、簡易な構成でプリアンブルデータを速やかに検出し得、かくしてマルチキヤリア方式でプリアンブルデータとメツセージデータを同時に送信した場合でも、優先度に応じた処理を簡易な構成で行い得る。
【図面の簡単な説明】
【図１】第１の実施の形態による通信システムのフレーム構成を示す略線図である。
【図２】その通信システムのサブキヤリア構成を示す略線図である。
【図３】その通信システムの送信装置の構成を示すブロツク図である。
【図４】その通信システムの受信装置の構成を示すブロツク図である。
【図５】受信装置における時間遅延及び加算処理の説明に供する略線図である。
【図６】加算処理による信号抽出原理の説明に供する略線図である。
【図７】第２の実施の形態による携帯電話システムのフレーム構成を示す略線図である。
【図８】その携帯電話システムのランダムアクセスチヤネルの構成を示す略線図である。
【図９】ランダムアクセスチヤネルを介して制御データを送信する送信装置の構成を示すブロツク図である。
【図１０】ランダムアクセスチヤネルを介して送信された制御データを受信する受信装置の構成を示すブロツク図である。
【図１１】他の実施の形態によるフレーム構成を示す略線図である。
【図１２】他の実施の形態による送信装置の構成を示すブロツク図である。
【図１３】他の実施の形態による受信装置の構成を示すブロツク図である。
【図１４】従来の通信システムのフレーム構成を示す略線図である。
【図１５】従来の通信システムの送信装置を示すブロツク図である。
【図１６】従来の通信システムの受信装置を示すブロツク図である。
【図１７】従来の携帯電話システムにおいて制御データを送信するときのフレーム構成を示す略線図である。
【図１８】その制御データを送信する従来の送信装置の構成を示すブロツク図である。
【図１９】その制御データを受信する従来の受信装置の構成を示すブロツク図である。
【符号の説明】
１、２０、４０、８０、１００……送信装置、２、３、２２、４２……エラー訂正ビツト付加回路、４、２１……フレーム生成回路、５、２３……変調回路、６、２４、４９……送信回路、７、１１、２５、３１、５０、６１……アンテナ、１０、３０、６０、９０、１１０……受信装置、１２、３２、６２……受信回路、１３、３３……復調回路、１４、３４……フイールド分割回路、１５、１６、３６、７３……エラー検出及び訂正回路、３５……プリアンブル検出回路、４１……エンコーダ、４３、４５……ＱＰＳＫ変調回路、４４、４６、７２、１０１、１０２、１１６……選択スイツチ、４７……差動変調回路、４８……逆高速フーリエ変換回路、６５、１１３……時間遅延回路、６６、１１４……加算器、６７、９３……相関算出回路、６８、９４、１１５……リフアレンス記憶回路、６９、９５……バツフア、７０……高速フーリエ変換回路、７１……差動復調回路。
【図１】
0003797510.tif 000002
【図２】
0003797510.tif 000003
【図３】
0003797510.tif 000004
【図４】
0003797510.tif 000005
【図５】
0003797510.tif 000006
【図６】
0003797510.tif 000007
【図７】
0003797510.tif 000008
【図８】
0003797510.tif 000009
【図９】
0003797510.tif 000010
【図１０】
0003797510.tif 000011
【図１１】
0003797510.tif 000012
【図１２】
0003797510.tif 000013
【図１３】
0003797510.tif 000014
【図１４】
0003797510.tif 000015
【図１５】
0003797510.tif 000016
【図１６】
0003797510.tif 000017
【図１７】
0003797510.tif 000018
【図１８】
0003797510.tif 000019
【図１９】
0003797510.tif 000020